(57)【要約】【課題】ガラス板に静電気植毛した有機高分子繊維が、使用中に剥がれて製品の機能が損なわれることのない静電気植毛ガラスを提供すること。【解決手段】ガラス板（１）に飛散防止フィルム（２）を貼り、接着剤（３）を塗布した後、静電気植毛により有機高分子繊維（４）を接着し、乾燥して固着することを特徴とする。【選択図】図１
2008037079.tif 000002
【特許請求の範囲】
【請求項１】
ガラス板（１）に飛散防止フィルム（２）を貼り付け、飛散防止フィルム（２）の上に接着剤（３）を塗布し、静電気植毛で有機高分子繊維（４）を接着し、乾燥して固着させたことを特徴とする静電気植毛ガラス
【請求項２】
飛散防止フィルム（２）がポリエステル製またはポリカーボネート製または塩化ビニール製のいずれか一方であることを特徴とする請求項１に記載の静電気植毛ガラス
【請求項３】
接着剤（３）がアクリル系またはウレタン系またはエポキシ系または酢酸ビニル系のいずれか一方である、もしくはこれらの混合物であることを特徴とする請求項１に記載の静電気植毛ガラス
【請求項４】
有機高分子繊維（４）がレーヨン製またはナイロン製のいずれか一方である、もしくはこれらの混合物であることを特徴とする請求項１に記載の静電気植毛ガラス
【請求項５】
請求項１〜請求項４のいずれか１つに記載の静電気植毛ガラスにおいて、ガラス板（１）を強化ガラスとしたことを特徴とする静電気植毛ガラス
【請求項６】
請求項１〜請求項５のいずれか１つに記載の静電気植毛ガラスよりなるガラス製光学式マウス用マウスパッド
【請求項７】
請求項１〜請求項５のいずれか１つに記載の静電気植毛ガラスよりなるガラス製建築材料
【請求項８】
請求項１〜請求項５のいずれか１つに記載の静電気植毛ガラスよりなるガラス製テーブル
【請求項９】
請求項１〜請求項５のいずれか１つに記載の静電気植毛ガラスよりなるガラス製容器
【発明の詳細な説明】
【技術分野】
【０００１】本発明は、ガラス板に有機高分子繊維を静電気植毛で固着した静電気植毛ガラスおよび静電気植毛ガラスを用いた光学式マウス用マウスパッド、建築材料、テーブル、容器に関するものである。
【背景技術】
【０００２】従来、ガラス板の表面に静電気植毛により有機高分子繊維を接着する手段としては、ガラス板に接着剤を塗布し、静電気植毛する方法が知られている。【０００３】この方法では、静電気植毛の接着強度が弱く、使用中に有機高分子繊維が剥がれる、という問題がある。
【発明の開示】
【発明が解決しようとする課題】
【０００４】本発明は、以上の事情に基づいてなされたものであって、その目的は、ガラス板に静電気植毛した有機高分子繊維が使用中に剥がれて製品の機能が損なわれること、を防止することである。
【課題を解決するための手段】
【０００５】上記課題を解決するために、請求項１の発明は、ガラス板（１）に飛散防止フィルム（２）を貼り付け、飛散防止フィルム（２）の上に接着剤（３）を塗布し、静電気植毛で有機高分子繊維（４）を接着し、乾燥して固着する。【０００６】請求項２の発明は、請求項１に記載の静電気植毛ガラスにおいて、飛散防止フィルム（２）がポリエステル製またはポリカーボネート製または塩化ビニール製のいずれか一方である。【０００７】請求項３の発明は、請求項１に記載の静電気植毛ガラスにおいて、接着剤（３）がアクリル系またはウレタン系またはエポキシ系または酢酸ビニル系のいずれか一方である、もしくはこれらの混合物である。【０００８】請求項４の発明は、請求項１に記載の静電気植毛ガラスにおいて、有機高分子繊維（４）がレーヨン製またはナイロン製のいずれか一方である、もしくはこれらの混合物である。【０００９】請求項５の発明は、請求項１〜請求項４のいずれか１つに記載の静電気植毛ガラスにおいて、ガラス板（１）を強化ガラスとした。【００１０】請求項６の発明は、請求項１〜請求項５のいずれか１つに記載の静電気植毛ガラスよりなるガラス製光学式マウス用マウスパッドである。【００１１】請求項７の発明は、請求項１〜請求項５のいずれか１つに記載の静電気植毛ガラスよりなるガラス製建築材料である。【００１２】請求項８の発明は、請求項１〜請求項５のいずれか１つに記載の静電気植毛ガラスよりなるガラス製テーブルである。【００１３】請求項９の発明は、請求項１〜請求項５のいずれか１つに記載の静電気植毛ガラスよりなるガラス製容器である。
【発明の効果】
【００１４】請求項１〜請求項５の発明を使用することによって、ガラス板に貼りつけた飛散防止フィルムに静電気植毛で有機高分子繊維を強固に固着させるので、有機高分子繊維の剥がれを防止でき、製品の機能が損なわれない。【００１５】請求項１〜請求項５の発明を使用することによって、ガラス板には飛散防止フィルムを貼っているので、ガラスが割れた際に飛散を防止できる。【００１６】請求項１〜請求項５の発明を使用することによって、廃棄する際は飛散防止フィルムを剥がせば、ガラスのみを分別回収できる。【００１７】請求項６の発明によれば、有機高分子繊維（４）によりガラス板の光反射率が上昇することによって光学式マウスに対する応答性が向上したマウスパッドがえられる。【００１８】請求項７の発明によれば、視界をさえぎるための窓やパーテーション、壁材などのガラス製建築材料がえられる。【００１９】請求項８の発明によれば、静電気植毛面が衝撃を和らげるため、ガラスにキズが付きにくくなり、割れを防止できる、ガラス製テーブルがえられる。【００２０】請求項９の発明によれば、静電気植毛面が衝撃を和らげるため、キズが付きにくい容器がえられ、静電気植毛面を内側に使えば、保管品による容器へのキズが付きにくくなる。
【発明を実施するための最良の形態】
【００２１】以下、本発明の実施の最良の形態を説明する。図１は本発明にかかる静電気植毛ガラスの構成を示す平面図である。本静電気植毛ガラスは以下の（イ）〜（ニ）の工程で製造される。
（イ）ガラス板（１）にガラスが割れたときの飛散を防止するポリエステル製飛散防止フィルム（２）を貼る。
（ロ）飛散防止フィルム（２）の上にアクリルエマルジョン接着剤（３）を塗布する。
図２は静電気植毛法の１つであるダウンメソッド法による静電気植毛の概略構成を示す図である。
（ハ）平板上の電極（６）間に直流高電圧を印加する。繊維散布装置（７）から落下したナイロン製有機高分子繊維（４）が高電圧発生装置（５）によって形成された電界を通過する際に電界に沿って平行に揃い、アクリルエマルジョン接着剤（３）に突き刺さる。
（ニ）上記を乾燥し、アクリルエマルジョン接着剤（３）を硬化させることで、ナイロン製有機高分子繊維（４）を固着させる。
【実施例１】
【００２２】ガラス板にポリエステル製飛散防止フィルム（リンテック社製ルミクール）を貼った後、アクリルエマルジョン接着剤をガン吹きで塗布し、太さ１．７Ｔ（デシテック）のナイロン製有機高分子繊維を静電気植毛で接着後、乾燥した。ガラス板面へのナイロン製有機高分子繊維の接着力を評価するために飛散防止フィルムを使用した場合と使用しない場合でＪＩＳ  Ｋ５６００−５−６塗料一般試験方法−塗膜の機械的性質−付着性（クロスカット法）に準じた試験をおこなった。
試験は以下の方法でおこなった。
方法：カッターナイフで１ｍｍ間隔で６本の切込みを入れる。カットはガラス表面まで貫通させた。この切込みに対し９０°で６本の切込みを入れ、５×５ヶの格子パターンを作成した。試験片上の静電気植毛繊維に、市販のＪＩＳ  Ｚ１５２２セロハン粘着テープを貼り、剥がした後の静電気植毛繊維の付着状態を観察する。静電気植毛繊維の剥がれ具合によって、静電気植毛繊維の付着度合いを０〜５分類で評価する。
各分類は以下の通り説明できる。
分類０：カットの縁が完全に滑らかで、どの格子の目にもはがれがない。
分類１：カットの交差点における塗膜の小さなはがれ。クロスカット部分で影響を受けるのは、明確に５％を上回ることはない。
分類２：塗膜がカットの縁に沿って、及び／又は交差点においてはがれている。クロスカット部分で影響を受けるのは明確に５％を超えるが１５％を上回ることはない。
分類３：塗膜がカットの縁に沿って、部分的又は全面的に大はがれを生じており、及び／又は目のいろいろな部分が、部分的又は全面的にはがれている。クロスカット部分で影響を受けるのは、明確に１５％を超えるが３５％を上回ることはない。
分類４：塗膜がカットの縁に沿って、部分的又は全面的に大はがれを生じており、及び／又は数か所の目が部分的又は全面的にはがれている。クロスカット部分で影響を受けるのは、明確に３５％を上回ることはない。
分類５：分類４でも分類できないはがれ程度のいずれか。
結果：Ａ、Ｂ、Ｃ、Ｄの４点を評価し、分類の平均値を算出した。
飛散防止フィルムルミクール使用時
Ａ点  分類０  Ｂ点  分類０  Ｃ点  分類０  Ｄ点  分類０  平均値０
接着剤のみ使用時
Ａ点  分類４  Ｂ点  分類２  Ｃ点  分類２  Ｄ点  分類３  平均値３
以上、飛散防止フィルムを使用することで、ＪＩＳ  Ｋ５６００−５−６に準じたクロスカットテストで良好な結果が得られた。
【実施例２】
【００２３】図３は本発明の応用例で、十文字型柄を静電気植毛で描いたときの構成図である。静電気植毛をしない面をテープでマスキングし、静電気植毛後にマスキングテープ（８）を剥がすことで十文字型柄が得られる。
【実施例３】
【００２４】図４は本発明にかかる静電気植毛ガラスを用いたガラス製光学式マウス用マウスパッドの外観図である。静電気植毛によりガラス板表面の光反射率が増加し、静電気植毛を施さない場合に比べ光学式マウスに対する応答性が向上した。
【実施例４】
【００２５】図５は本発明にかかる静電気植毛ガラスを用いたガラス製テーブルの外観図である。静電気植毛面は衝撃を和らげる効果があるので、静電気植毛を施さない場合に比べガラスにキズが付きにくく、割れを防止しやすくなった。
【実施例５】
【００２６】図６は本発明にかかる静電気植毛ガラスを用いたガラス製容器の外観図である。静電気植毛面は衝撃を和らげる効果があるので、静電気植毛を施さない場合に比べ容器にキズが付きにくくなった。静電気植毛面を内側に使ったところ、保管品によるガラスへのキズが付きにくくなった。
【産業上の利用可能性】
【００２７】静電気植毛によりガラス板の光反射率が増加するので、マウスパッドとして使用すると光学式マウスに対する応答性が向上する。【００２８】可視光透過率を減少させる効果を利用して、視界をさえぎるための窓やパーテーション、壁材などの建築材料に使用できる。また、柄を静電気植毛で描く、あるいは柄入り飛散防止フィルムを使用し、柄を入れることもできる。【００２９】静電気植毛面は衝撃を和らげるため、ガラスにキズが付きにくく割れを防止できるので、テーブルに使用できる。【００３０】静電気植毛面は衝撃を和らげるため、容器として使用するとキズが付きにくい。静電気植毛面を内側に使えば、保管品によるガラスへのキズが付きにくくなる。
【図面の簡単な説明】
【００３１】
【図１】  本発明にかかる静電気植毛ガラスの構成を示す平面図
【図２】  ダウンメソッド法による静電気植毛の概略構成を示す図
【図３】  応用例  十文字型柄を静電気植毛で描いたときの構成図
【図４】  本発明にかかる静電気植毛ガラスを用いたガラス製光学式マウス用マウスパッドの外観図
【図５】  本発明にかかる静電気植毛ガラスを用いたガラス製テーブルの外観図
【図６】  本発明にかかる静電気植毛ガラスを用いたガラス製容器の外観図
【符号の説明】
【００３２】１    ガラス板
２    飛散防止フィルム
３    接着剤
４    有機高分子繊維
５    高電圧発生装置
６    電極
７    繊維散布装置
８    マスキングテープ
９    静電気植毛ガラス
１０  ガラス製光学式マウス用マウスパッド
１１  光学式マウス
１２  ガラス製テーブル
１３  ガラス製容器
【図１】
2008037079.tif 000003
【図２】
2008037079.tif 000004
【図３】
2008037079.tif 000005
【図４】
2008037079.tif 000006
【図５】
2008037079.tif 000007
【図６】
2008037079.tif 000008